(57)【特許請求の範囲】
【請求項１】
印刷マークレイアウトが表面に描かれた累進屈折力レンズであって、
前記印刷マークレイアウトは、
レンズメータによって累進面の度数を測定する領域を表示するための、レンズの装用状態の鉛直方向に対向する２つの円弧形状と、
前記円弧形状の水平左右方向のうち少なくともいずれか一方の方向に延伸する引き出し線と、
前記引き出し線の近傍に、累進帯長に応じた固有情報と、
を含むことを特徴とする累進屈折力レンズ。
【請求項２】
請求項１に記載の累進屈折力レンズにおいて、
前記引き出し線は、前記累進面の度数を測定する領域の略中心位置方向に向かう線であり、
前記印刷マークレイアウトは、さらに、
前記２つの円弧形状の外側から延伸する引き出し線と、
該２つの引き出し線の鉛直方向間に、累進帯長に応じた所定間隔の複数の引き出し線と、
を含むことを特徴とする累進屈折力レンズ。
【請求項３】
請求項１または２に記載の累進屈折力レンズにおいて、
前記累進面の度数を測定する領域が、遠用部および／または近用部の度数測定領域であることを特徴とする累進屈折力レンズ。
【発明の詳細な説明】
【技術分野】
【０００１】
本発明は、累進屈折力レンズの印刷マークレイアウトに関する。
【背景技術】
【０００２】
近年、老眼等により、目の調節力が低下した場合等に、遠近両用眼鏡レンズである累進屈折力レンズを用いた眼鏡が使用されている。この累進屈折力レンズは、一枚のレンズに異なる度数を持たせたレンズであり、レンズの上側部分が遠くを見るための遠用部、下側部分が近くを見るための近用部、遠用部から近用部にかけては屈折力が累進的に変化する累進帯となっており、眼球側に位置する内面または外面に遠用部、近用部、累進帯を構成する曲率が付加されている。（例えば、特許文献１、図７参照）
【０００３】
累進屈折力レンズは、通常、レンズメータによって度数を測定する領域を表示する遠用部測定マーク、近用部測定マーク、アライメントの際の基準となるフィッティングポイント等が印刷される。
このような近用部測定基準エリアマーク（前記の近用部測定マークと同じ）を、レンズの装用状態で左右方向に長い長円形状または楕円形状に描き、かつ近用部測定基準エリアマークの外側に、左右方向に一定間隔をおいて位置指標を描くことで、インセット量が異なる累進屈折力レンズの近用部測定基準エリアの度数を正しく測定することができる累進屈折力レンズの印刷マークレイアウトが提案されている（特許文献１、参照）。
【０００４】
【特許文献１】特開２００３−１３１１７５号公報
【発明の開示】
【発明が解決しようとする課題】
【０００５】
累進屈折力レンズに印刷されたマークは、ユーザー（小売店）において、印刷されたマークを基準にしてレンズの度数を測定し、レンズの処方が注文通りか否かを確認したり、眼鏡フレームに枠入れする際の基準として用いられる。
しかしながら、特許文献１の印刷マークレイアウトでは、長円形状または楕円形状の近用部測定基準エリアマークの外側に、左右方向に一定間隔をおいてインセット量の位置指標が描かれていても、描かれた内のどの位置指標を用いて測定するかを認識することが容易でない。
【０００６】
また、近年、累進眼鏡レンズの累進帯長は、多様化し、１０〜１８ｍｍ程度の広い範囲が用いられるようになり、各累進帯長に対応するために、測定マークの印刷レイアウトを変更する必要が生じている。そのため、マークレイアウトの印刷版の種類が増えたり、印刷版を取り替える段取りが必要となり、製造コストが嵩む、あるいは生産性が低下する等の問題が生じている。
本発明は、このような事情に鑑みてなされたものであり、累進帯長の異なる多数種類の累進屈折力レンズに、同一の印刷マークで対応することができると共に、レンズ度数の測定位置が容易に認識できる累進屈折力レンズの印刷マークレイアウトを提供することを目的とする。
【課題を解決するための手段】
【０００７】
上記課題を解決するために、本発明の累進屈折力レンズの印刷マークレイアウトは、累進屈折力レンズの製造後枠入れが完了する前に、前記累進屈折力レンズの表面に描く印刷マークレイアウトであって、レンズメータによって累進面の度数を測定する領域を表示するための、累進屈折力レンズの装用状態の鉛直方向に対向する２つの円弧形状と、前記円弧形状の左右水平方向のうち少なくともいずれか一方の方向に延伸する引き出し線と、前記引き出し線の近傍に、累進帯長に応じた固有情報と、が描かれたことを特徴とする。
【０００８】
これによれば、累進屈折力レンズの装用状態の鉛直方向に対向する２つの円弧形状と、円弧形状の左右水平方向のうち少なくともいずれか一方の方向に延伸する引き出し線と、引き出し線の近傍に、累進帯長に応じた固有情報とが描かれたことにより、累進帯長に応じた固有情報を参照することにより、累進屈折力レンズの累進面の度数の測定領域（測定位置）を一目で認識することができ、累進屈折力レンズを正確にアライメント（位置決め）して、度数を測定することができる。
【０００９】
本発明の累進屈折力レンズの印刷マークレイアウトは、前記引き出し線は、累進面の度数を測定する領域の略中心位置方向に向かう線であり、前記２つの円弧形状の外側から延伸する引き出し線と、該２つの引き出し線の鉛直方向間に、累進帯長に応じた所定間隔の複数の引き出し線が描かれたことを特徴とする。
【００１０】
これによれば、２つの円弧形状の外側から延伸する引き出し線と、２つの引き出し線の鉛直方向間に、累進帯長に応じた所定間隔の複数の引き出し線が描かれると共に、引き出し線の近傍に、累進帯長に応じた固有情報とが描かれることにより、累進帯長の異なる多数種類の累進屈折力レンズであっても、同じ印刷マークレイアウトを印刷をすることができる。これにより、累進屈折力レンズの累進面の度数の保証位置が異なる版の製作、印刷版を選定して取り替える段取り作業、あるいは印刷マークを印刷する印刷機の増設等が不要となり、生産性が向上する。
【００１１】
本発明の累進屈折力レンズの印刷マークレイアウトは、前記累進面の度数を測定する領域が、遠用部および／または近用部の度数測定領域であることを特徴とする。
これによれば、累進面の度数を測定する領域が、遠用部および／または近用部の度数測定領域であることにより、累進帯長に応じた固有情報を参照することにより、累進屈折力レンズの累進面の度数の測定領域（測定位置）を一目で認識することができ、累進屈折力レンズの遠用部および／または近用部を正確にアライメント（位置決め）して、度数を測定することができる。
【発明を実施するための最良の形態】
【００１２】
以下、本発明の実施形態を図面に基づいて説明する。なお、本実施形態の累進屈折力レンズは、凸面からなる外面に、遠用部、近用部、累進帯を構成する曲率が付加された非球面（累進面）が形成され、凹面からなる内面（眼球側に位置する面）に度数が付加された球面からなる、いわゆる外面累進屈折力レンズ（以後、累進屈折力レンズと表す）の場合で説明する。
図１は、本発明の累進屈折力レンズの印刷マークレイアウトの一実施形態を示す平面図であり、図２は近用測定マーク部を拡大して示す印刷マークレイアウトの部分平面図である。なお、図１に示す平面図は、外面に印刷マークが付された左側の眼球に装用される累進屈折力レンズの場合を示し、外面における平面図である。
【００１３】
累進屈折力レンズ１は、眼鏡フレームに枠入れ加工（いわゆる玉型加工）する前のレンズであり、平面が略円形形状となっている。
この累進屈折力レンズ１の外面（表面）には、複数のマークが付されている。マークは、枠入れする際の基準となるフィッティングポイント１１、累進屈折力レンズ１の水平方向の水平基準線を示す水平基準線マーク１２、遠用部の度数の測定領域を示す遠用部測定マーク１３、近用部の度数の測定領域を示す近用部測定マーク１４、製品名表示マーク１５、左右識別マーク１６等が印刷されている。このようなマーク１１〜１６は、アルコール等の有機溶剤で除去可能なインクにより印刷されている。
【００１４】
また、累進屈折力レンズ１の外面には、前記インクにより形成されたマーク以外に一対の隠しマーク１７が形成されている。この隠しマーク１７は、累進屈折力レンズ１の成形型から転写されるマークであり、累進屈折力レンズ１に印刷マークを印刷する際の基準として用いられる。すなわち、前記水平基準線マーク１２は、一対の隠しマーク１７を結んだ線上に位置している。
なお、図１および図２に示す符号Ｍ１は、累進帯が遠用部から近用部にかけて鼻側に偏位量α偏位した累進屈折力レンズ１の主子午線を示している。
【００１５】
フィッティングポイント１１は、累進屈折力レンズ１の幾何学的な中心位置に設置されている。なお、本実施形態において、フィッティングポイント１１は、累進帯の遠用部側の開始点と略一致している。
水平基準線マーク１２は、フィッティングポイント１１（累進屈折力レンズ１の幾何学的な中心）を通る水平線上に設置されている。
遠用部測定マーク１３は、遠用部の度数の測定領域を示すマークであり、フィッティングポイント１１から鉛直方向上方に延伸する主子午線Ｍ１上に、フィッティングポイント１１から所定寸法離れた遠用部内の位置に印刷されている。これは、遠用部の正確な度数を測定するためであり、本実施例の場合の所定寸法は、例えば略８ｍｍであり、マークの径は、１０ｍｍ程度の正円形状である。
【００１６】
近用部測定マーク１４は、近用部の度数測定領域を示すマークである。近用部測定マーク１４は、主子午線Ｍ１上の鉛直方向に対向する２つの略半円形状の円弧と、累進帯の累進帯長に応じて変動する３種類の近用部の測定領域の略中心位置を示す引き出し線と、引き出し線の先端近傍に近用部の度数を示すレンズの固有情報としての固有マークおよびその製品略称マークで構成されている。
【００１７】
この近用部測定マーク１４は、遠用部から近用部にかけて鼻側に偏位量α偏位した主子午線Ｍ１上に配置されている。偏位量αはインセット量と呼ばれ、処方に応じて０〜５ｍｍ程度が用いられる。これは眼鏡を装用して近方を見る時に、両眼の視線が内側に輻輳するのを考慮するためである。なお、近用部測定マーク１４は、累進帯の近用部側の終了点から鉛直方向下方に所定寸法離れた主子午線Ｍ１上の近用部内の位置に印刷されている。これは、近用部の正確な度数を測定するためであり、本実施例の場合の所定寸法は、例えば略３ｍｍである。
また、近用部測定マーク１４は、例えば３種類の累進帯長に応じて変動する近用部の測定領域を含むように付されている。
【００１８】
図２において、主子午線Ｍ１上の中心点１４Ａｃを中心とする二点鎖線で示す円１４Ａ、中心点１４Ｂｃを中心とする二点鎖線で示す円１４Ｂ、中心点１４Ｃｃを中心とする二点鎖線で示す円１４Ｃで表される各円形状内の領域が、累進帯長に応じて変動する３種類の近用部の測定領域である。この各円形状の直径は５ｍｍ程度であり、円１４Ａの円形状内の領域が、例えば累進帯長１２ｍｍにおける測定領域であり、３つの円の中心点の間隔が２ｍｍに設定されている。すなわち、円１４Ｂおよび円１４Ｃの円形状内の領域が、累進帯長１４ｍｍ、および１６ｍｍの場合の測定領域である。
なお、本実施形態の累進屈折力レンズ１の累進帯長は、例えば１２ｍｍであり、図２中に示す符号Ｍ２，Ｍ３は、累進帯長が１４ｍｍ、および１６ｍｍの場合の主子午線を示している。
【００１９】
主子午線Ｍ１上の鉛直方向に向かい合う２つの半円形状の半円弧は、中心点１４Ａｃを中心とする円１４Ａの半円形状の円弧１４ＡＳと、中心点１４Ｃｃを中心とする円１４Ｃの半円形状の円弧１４ＣＳが描かれ、円弧１４ＡＳの外側（両端近傍）から水平方向（主子午線Ｍ１に直交する方向）に延伸する一対の引き出し線１４Ａ１，１４Ａ２、円弧１４ＣＳの外側（両端近傍）から水平方向に延伸する一対の引き出し線１４Ｃ１，１４Ｃ２が描かれている。また、引き出し線１４Ａ１，１４Ｃ１および線１４Ａ２，１４Ｃ２の鉛直方向の各中間位置（円１４Ｂの中心点１４Ｂｃ位置）に、引き出し線１４Ａ１，１４Ａ２等と同様に水平方向に延伸する引き出し線１４Ｂ１および１４Ｂ２が描かれている。
【００２０】
この引き出し線１４Ａ１，１４Ｂ１，１４Ｃ１の延伸方向先端近傍には、例えば、Ｖ、Ｗ、Ｘの文字マークで示す累進帯長を表すレンズの固有情報としての固有マーク群１４１が描かれ、引き出し線１４Ａ２，１４Ｂ２，１４Ｃ２の延伸方向先端近傍には、例えば、I、II、IIIの文字マークで示す累進帯長に対応したレンズの固有情報としての製品略称を表す製品略称マーク群１４２が描かれている。
【００２１】
製品名表示マーク１５は、累進屈折力レンズ１の製品名（例えば、図１中にＡＢＣＤの文字群で示す）を表す表示マークであり、例えば、遠用部測定マークの鼻側の遠用部内に印刷されている。
左右識別マーク１６は、装用される左右眼球を識別する識別マークであり、遠用部測定マークを挟んだ製品名表示マーク１５の反対側の遠用部内に印刷されている。なお、Ｌ（Left）の文字は眼鏡の左側に取付けされる左眼球用を示している。
【００２２】
次に、累進屈折力レンズ１の近用部の度数を測定する方法を説明する。
図３は、度数の測定を行うレンズメータを示す正面図であり、図４はレンズメータにより、累進屈折力レンズの度数を測定する態様を示す図である。
【００２３】
レンズメータ２は、度数測定用の光線を射出する受け台２１と、この受け台２１からの光線を受光して度数を測定する測定部２２とを備えている。
受け台２１上には、累進屈折力レンズ１が設置され、受け台２１からは、度数測定用の複数本、例えば４本の光線が射出される。受け台２１は、累進屈折力レンズ１に当接する部分の径が、例えば５ｍｍである。
測定部２２は、前記受け台２１からの光線を受光し、受光した複数本の光線によってそれぞれ検出される度数の平均値を算出する。
【００２４】
このようなレンズメータ２により、累進屈折力レンズ１の近用部の度数の測定を行う。度数の測定は、図４の度数を測定する態様を示す図に示すように、レンズメータ２の受け台２１上に、累進面（マークが印刷された面）を受け台２１側にして、累進屈折力レンズ１を載置する。そして、受け台２１の累進屈折力レンズ１との当接部分を近用部測定マーク１４の測定領域（円弧１４ＡＳを形成する円１４Ａ内の領域、図２参照）にあわせる。そして、受け台２１から光線を射出し、測定部２２により度数を算出する。なお、累進屈折力レンズ１との当接部分は、近用部測定マーク１４の測定領域の略中心部にあわせるのが好ましい。
【００２５】
次に、累進屈折力レンズ１に印刷される印刷マークの印刷方法について説明する。
図５は印刷装置を示す正面図であり、図６は印刷装置のプリセット部を示す平面図であり、図７は印刷装置の移動部を示す平面図である。図８は印刷装置の位置決め部を示す模式図であり、図９は累進屈折力レンズの位置決め状態を示す説明図である。
【００２６】
図５において、印刷装置３は、移動部３１（後述する図７参照）、プリセット部３２、位置決め部３３、印刷部３４と、これらを駆動制御する制御部３５とを備えている。
プリセット部３２は、移動部３１により、累進屈折力レンズ１を略水平に保持できるように累進屈折力レンズ１をセットするためのものである。
【００２７】
プリセット部３２は、累進屈折力レンズ１の中央部を受ける受け台３２１と、この受け台３２１の周囲に略等間隔に配置された複数本のチャック部３２２とを備える。
受け台３２１は、上端面が水平面となっており、累進屈折力レンズ１の中央部を上端面上に設置すると、累進屈折力レンズ１が略水平に保持される。
図６に示すように、チャック部３２２は、例えば、３本設けられており、受け台３２１に向かって移動可能となっている。各チャック部３２２は、受け台３２１の上端面の平面中心に対して等距離となるように、各チャック部３２２が連動して移動する。
【００２８】
このようなプリセット部３２では、累進屈折力レンズ１を受け台３２１上に設置し、チャック部３２２を累進屈折力レンズ１に対して均等に近づけていく。累進屈折力レンズ１は略正円となっているので、チャック部３２２が累進屈折力レンズ１の外周縁に接触することで、累進屈折力レンズ１の幾何学中心が受け台３２１の上端面の中心と略一致するように、セットされることとなり、累進屈折力レンズ１が略水平に保持される。
このようにして、セットされた累進屈折力レンズ１は、移動部３１により保持されて移動する。
【００２９】
図７において、移動部３１は、プリセット部３２と、位置決め部３３と、印刷部３４に沿って敷設されたレール３１１と、このレール３１１上を移動する移動部本体３１２とを備える。
移動部本体３１２は、レール３１１上に設置された移動テーブル３１２Ａと、累進屈折力レンズ１の外周縁を挟持するチャック部３１２Ｂと、この移動テーブル３１２Ａ上において、前記チャック部３１２ＢをＸ軸方向、Ｙ軸方向に移動するとともに、θ方向に回転駆動する駆動部３１２Ｃとを備える。
【００３０】
チャック部３１２Ｂは、駆動部３１２Ｃから、プリセット部３２、位置決め部３３、印刷部３４が配置された方向に向かって延びる一対のアーム３１２Ｂ１を備えている。
一方のアーム３１２Ｂ１の先端は、屈曲されており、他方のアーム３１２Ｂ１に向かって延びている。また、他方のアーム３１２Ｂ１も同様に、先端が一方のアーム３１２Ｂ１に向かって屈曲されている。
このようなアーム３１２Ｂ１により、プリセット部３２にセットされた累進屈折力レンズ１の外周縁を挟持し、位置決め部３３に搬送する。
【００３１】
位置決め部３３は、チャック部３１２Ｂに保持された累進屈折力レンズ１の向きを調整し、位置決めするためのものである。
図８において、位置決め部３３は、緑色の単色光を照射する複数のＬＥＤ３３１Ａを備えた照射装置３３１と、照射装置３３１からの光線を受光するＣＣＤ３３２Ａを備えた受光装置３３２と、受光装置３３２で受光した画像を処理する画像処理装置３３３とを備える。
【００３２】
照射装置３３１のＬＥＤ３３１Ａは、Ｘ軸に沿って配置されている。このＬＥＤ３３１Ａは順に点灯し、何れかのＬＥＤ３３１Ａを点灯したときに、ＬＥＤ３３１Ａから射出された光線が累進屈折力レンズ１のプリズムにより屈折し、隠しマーク１７が形成されたレンズ１の外面に対し、略垂直な方向に透過することとなる。これにより、受光装置３３２で隠しマーク１７を検出することができる。受光装置３３２で受光した画像は、画像処理装置３３３で処理される。
【００３３】
この画像処理装置３３３には、累進屈折力レンズ１の水平基準線の位置が予め記憶されている。
図９に示すように、画像処理装置３３３で受光した隠しマーク１７の画像３３３Ｃを結んで形成される水平基準線３３３Ｂの位置と、予め記憶された水平基準線３３３Ａの位置とが異なる場合には、アーム３１２Ｂ１をＸ軸、Ｙ軸、θ方向に駆動し、累進屈折力レンズ１の向きを調整する。これにより、画像処理装置３３３で受光した隠しマーク１７の画像を結んで形成される水平基準線３３３Ｂの位置と、予め記憶された水平基準線３３３Ａの位置とを一致させることができる。
【００３４】
このようにして、位置決めされた累進屈折力レンズ１を移動部３１により、印刷部３４の基準位置まで、搬送する。
図５において、印刷部３４は、印刷パッド３４１と、この印刷パッド３４１を駆動する駆動装置３４２と、印刷を行う際に、累進屈折力レンズ１を下方側から支持するパッド３４３とを有している。この印刷パッド３４１は、印刷マークレイアウトに対応した凹版（図示せず）と、この凹版が押し当てられる樹脂製のパッド（図示せず）とを備えている。凹版の溝部分にインクを満たし、凹版に樹脂製のパッドを押し当てて、インクを樹脂製のパッドに転写した後、この樹脂製のパッドを累進屈折力レンズ１表面に押し当てることで、インクが転写されることとなる。
このような印刷パッド３４１は累進屈折力レンズ１表面に対し上下方向（Ｚ軸方向）にのみ駆動可能となっている。
【００３５】
印刷部３４に累進屈折力レンズ１が搬送されると、制御部３５に格納された累進帯長、偏位量αの情報が読み出され、近用部測定マーク１４の印刷が行なわれる。
近用部測定マーク１４の印刷を行う際には、制御部３５に格納された情報に基づいて、移動部本体３１２の駆動部３１２Ｃが駆動され（図７参照）、累進屈折力レンズ１が基準位置から、Ｘ軸方向、Ｙ軸方向に移動することとなる。
そして、累進屈折力レンズ１が所定の位置に移動すると、近用部測定マーク１４に応じた印刷パッド３４１が累進屈折力レンズ１に向かって下降し、印刷が行われる。
【００３６】
近用部測定マーク１４が印刷された累進屈折力レンズ１は、制御部３５の駆動制御により、移動部本体３１２の駆動部３１２Ｃが駆動され、基準位置に戻った後に、制御部３５に格納された情報に基づいて、基準位置からＹ軸方向に移動して所定の位置に移動する。そして、遠用部測定マーク１３に対応した印刷パッド３４１が下降し、印刷が行なわれる。
そしてフィッティングポイント１１、水平基準線マーク１２、製品名表示マーク１５、左右識別マーク１６が印刷される。印刷方法等は近用部測定マーク１４と同様であるので、その詳細は省略する。
【００３７】
このように印刷された累進屈折力レンズ１は、ユーザー（小売店）に納品される。累進屈折力レンズ１の度数保証位置（遠用部および近用部測定マーク位置）情報、レンズの固有情報等は、予めユーザー（小売店）に案内されている。
累進屈折力レンズ１を購入したユーザーは、納入されたレンズ製品袋、レンズ製品箱に記載された商品名、あるいは累進屈折力レンズ１の表面に印刷された製品名表示マーク１５等のいずれかを参照して、Ｖ、Ｗ、Ｘの文字マークで示す累進帯長を表す固有マーク群１４１、あるいは、I、II、IIIの文字マークで示す累進帯長に対応した製品略称を表す製品略称マーク群１４２の内から該当する文字マークに対応する引き出し線先端部の測定領域（度数保証位置）を用いて度数を測定し、レンズの処方が注文通りかどうかを確認する。
【００３８】
そして、累進屈折力レンズ１の表面に印刷されたフィッティングポイント１１、水平基準線マーク１２等を基準として、玉型加工を行い、眼鏡フレームへの枠入れが行われる。
玉型加工、あるいは眼鏡フレームへの枠入れが終了した後に、累進屈折力レンズ１の表面に印刷された印刷マークは、アルコール等の有機溶剤を用いて除去される。
【００３９】
以上に説明した、本実施形態によれば、累進帯長の異なる多数種類（３種類）の累進屈折力レンズであっても、同じ印刷マークレイアウトを印刷をすることができる。これにより、累進屈折力レンズの累進面の度数の保証位置が異なる版の製作、印刷版を選定して取り替える段取り作業、あるいは印刷マークを印刷する印刷装置の増設等が不要となり、生産性が向上する。
【００４０】
また、ユーザー（小売店）においては、累進屈折力レンズの表面に印刷された引き出し線、およびその延伸方向先端近傍に印刷された固有マーク、製品略称マークを参照することにより、累進屈折力レンズの近用部または遠用部の度数の測定領域（測定位置）を一目で認識することができ、累進屈折力レンズを正確にアライメント（位置決め）して、累進面の度数を測定することができる。
【００４１】
なお、本発明は前述の実施形態に限定されるものではなく、本発明の目的を達成できる範囲での変形、改良等は本発明に含まれるものである。
例えば、実施形態は、異なる３種類の累進帯長（１２，１４，１６ｍｍ）に対応した近用部測定マーク１４を設置した場合で説明したが、３種類を超える累進帯長に対応する近用部測定マークを設置した場合であっても良い。例えば、３種類の累進帯長に１０ｍｍ，１８ｍｍを加えた５種類の場合には、主子午線Ｍ１上の鉛直方向に向かい合う累進帯長１０ｍｍと１８ｍｍの近用部の測定位置を示す２つの半円形状の半円弧と、累進帯長１０，１２，１４，１６，１８ｍｍの測定領域の略中心位置を示す引き出し線と、引き出し線の先端近傍に近用部の度数を示す固有マークおよびその製品略称マークを設置すれば良い。
【００４２】
また、累進屈折力レンズ１の印刷マークレイアウトは、遠用部測定マーク１３に対して、異なる３種類の累進帯長に対応した近用部測定マーク１４を設置した場合で説明したが、図１０の累進屈折力レンズの別の印刷マークレイアウトの平面図に示すように、累進屈折力レンズ１０の外面に、近用部測定マーク１０１に対して、例えば異なる３種類の累進帯長に対応した遠用部測定マーク１０２を設置することができる。この印刷マークレイアウトは、例えば、累進帯がレンズ上方まで広がっている中近用累進屈折力レンズ等に適用することができる。なお、印刷方法等は前述の実施形態と同様に行うことができる。
【００４３】
また、近用部測定マーク１４は、引き出し線１４Ａ１，１４Ｂ１，１４Ｃ１の延伸方向先端近傍に、Ｖ、Ｗ、Ｘの文字で示す累進帯長を表す固有マーク群１４１と、引き出し線１４Ａ２，１４Ｂ２，１４Ｃ２の延伸方向先端近傍に、I、II、IIIの文字で示す累進帯長に対応した製品略称を表す製品略称マーク群１４２が描かれた場合で説明したが、少なくともどちらか一方の引き出し線とマークが描かれている場合であっても良い。前記の遠用部測定マーク１０２の場合についても同様である。
【００４４】
また、本実施形態の累進屈折力レンズ１は、外面累進屈折力レンズの場合で説明したが、凹面からなる内面（眼球側に位置する面）に、遠用部、近用部、累進帯を構成する累進面と、度数が付加された度数面が形成された、いわゆる内面累進屈折力レンズであっても良い。内面累進屈折力レンズの場合の近用部の度数の測定は、レンズメータ２の受け台２１上に、累進面が形成された凹面を受け台２１側にして行う。
【図面の簡単な説明】
【００４５】
【図１】本発明の累進屈折力レンズの印刷マークレイアウトの一実施形態を示す平面図。
【図２】近用測定マーク部を拡大して示す印刷マークレイアウトの部分平面図。
【図３】レンズメータを示す正面図。
【図４】レンズメータにより、累進屈折力レンズの度数を測定する態様を示す図。
【図５】印刷装置を示す正面図。
【図６】印刷装置のプリセット部を示す平面図。
【図７】印刷装置の移動部を示す平面図。
【図８】印刷装置の位置決め部を示す模式図。
【図９】レンズの位置決め状態を示す説明図。
【図１０】累進屈折力レンズの別の印刷マークレイアウトを示す平面図。
【符号の説明】
【００４６】
１，１０…累進屈折力レンズ、２…レンズメータ、３…印刷装置、１１…フィッティングポイント、１２…水平基準線マーク、１３，１０２…遠用部測定マーク、１４，１０１…近用部測定マーク、１４Ａ１，１４Ｂ１，１４Ｃ１，１４Ａ２，１４Ｂ２，１４Ｃ２…引き出し線、１４ＡＳ，１４ＣＳ…半円弧、１５…製品名表示マーク、１６…左右識別マーク、１７…隠しマーク、１４１…固有マーク群、１４２…製品略称マーク群、Ｍ１，Ｍ２，Ｍ３，Ｍ１０…主子午線、α…偏位量。
【図１】
0004730007.tif 000002
【図２】
0004730007.tif 000003
【図３】
0004730007.tif 000004
【図４】
0004730007.tif 000005
【図５】
0004730007.tif 000006
【図６】
0004730007.tif 000007
【図７】
0004730007.tif 000008
【図８】
0004730007.tif 000009
【図９】
0004730007.tif 000010
【図１０】
0004730007.tif 000011